(57)【特許請求の範囲】
【請求項１】
通信端末とＩＳＤＮとの間の接続を行うターミナルアダプタにおいて、
ＩＳＤＮからメッセージを受信し、ＩＳＤＮに対してメッセージを送信する回線制御回路と、
接続される通信端末のフック状態を検出するフック検出部と、
前記フック検出部がオフフック状態を検出した場合であっても発信者端末からの着信の受付制御を行う制御部と、
前記制御部の指示に応じてリンガ出力を行う着信通知部と、
前記制御部の指示に応じて表示器に着信があった旨の表示を行う表示制御回路とを備え、
前記制御部は、
前記フック検出部がオフフック状態を検出しているときに前記回線制御回路がＩＳＤＮから呼設定メッセージを受信した場合に、前記回線制御回路に対して呼出メッセージを送信する指示を与えるとともに、前記表示制御回路に対して着信があった旨の表示を行う指示を与え、
前記表示制御回路に対して着信があった旨の表示を行う指示を与えた後に前記フック検出部がオンフック状態を検出した場合に、通信中であれば前記回線制御回路に対して切断メッセージを送信する指示を与えた後、前記着信通知部に対してリンガ出力を行う指示を与え、
前記着信通知部に対してリンガ出力を行う指示を与えた後に、前記フック検出部がオフフック状態を検出した場合に、前記回線制御回路に対して応答メッセージを送信する指示を与える
ことを特徴とするターミナルアダプタ。
【請求項２】
特定発信者情報を登録する特定発信者情報記憶部を備え、
制御部は、呼設定メッセージに含まれる発信者端末の電話番号と特定発信者情報に含まれる情報とが一致した場合に、回線制御回路に対して呼出メッセージを送信する指示を与えるとともに、表示制御回路に対して着信があった旨の表示を行う指示を与える
請求項１記載のターミナルアダプタ。
【請求項３】
特定発信者情報には、特定発信者端末の電話番号および特定発信者の氏名が含まれる
請求項２記載のターミナルアダプタ。
【請求項４】
制御部は、特定発信者情報記憶部に特定発信者情報が登録されていない場合には、回線制御回路がＩＳＤＮから呼設定メッセージを受信した場合に、前記回線制御回路に対して呼出メッセージを送信する指示を与える
請求項２または請求項３記載のターミナルアダプタ。
【発明の詳細な説明】
【０００１】
【発明の属する技術分野】
本発明は、ＩＳＤＮ回線網に端末装置を接続するためのターミナルアダプタに関する。
【０００２】
【従来の技術】
通信端末と通信回線網との間の接続には、一般に、ターミナルアダプタが用いられる。ここにいう通信回線網は、例えば、ＩＳＤＮ（Ｉｎｔｅｇｒａｔｅｄ  Ｓｅｒｖｉｃｅ  Ｄｉｇｉｔａｌ  Ｎｅｔｗｏｒｋ）回線網である。図７は、そのようなターミナルアダプタを用いた通信システムの一例を示すブロック図である。
【０００３】
通信回線網７００には、複数のターミナルアダプタが接続され、図７に示す例では、ターミナルアダプタ７１０および７２０が接続される。通信回線網７００は、ＩＳＤＮ回線網である。ターミナルアダプタ７１０には、通信端末７１１〜７１ｎが接続され、ターミナルアダプタ７２０には、通信端末７２１〜７２ｎが接続される。ここで、各通信端末は、例えば、電話端末、パーソナルコンピュータ等の情報端末である。
【０００４】
次に、通信端末間での情報のやり取りについて説明する。ここでは、通信端末７２１が通信端末７１１に対して発呼した場合の動作を例にとって説明する。なお、他の通信端末の間における情報のやり取りの動作についても同様である。
【０００５】
発信者は、通信端末７２１において特定番号をダイヤルする。ここでは、通信端末７１１の電話番号をダイヤルする。すると、呼設定の要求を示す呼設定（ＳＥＴＵＰ）メッセージがターミナルアダプタ７２０からターミナルアダプタ７１０に対して送信される。
【０００６】
ターミナルアダプタ７１０が呼設定メッセージを受信すると、通信端末７１１に着信した旨が通知される。すると、通信端末７１１は、リンガを起動することにより着信通知を行う。リンガは、着信を音響的に外部に通知する装置であり、例えば、トーンリンガである。そして、ターミナルアダプタ７１０は、被呼者（着信者）の呼出中を示す呼出（ＡＬＥＲＴＩＮＧ）メッセージをターミナルアダプタ７２０に対して送信する。
【０００７】
リンガから発せられる着信音により、着信者は、通信端末７１１におけるハンドセット（送受話器）を持ち上げる。つまり、着信者は、発信者からの着信を受けようとする。
【０００８】
ターミナルアダプタ７１０は、通信端末７１１がオフフックの状態になったことを検出すると、被呼者が応答した（オフフックの状態にした）旨を示す応答（ＣＯＮＮＥＣＴ）メッセージをターミナルアダプタ７２０に対して送信する。ターミナルアダプタ７２０は、応答メッセージを受信すると、その確認メッセージである応答確認（ＣＯＮＮＥＣＴ  ＡＣＫＮＯＷＬＥＤＧＥ）メッセージをターミナルアダプタ７１０に対して送信する。
【０００９】
ターミナルアダプタ７１０がその応答確認メッセージを受信することで、ターミナルアダプタ７１０とターミナルアダプタ７２０との間の接続が確立される。従って、通信端末７１１と通信端末７２１との間の接続も確立される。
【００１０】
【発明が解決しようとする課題】
上記のシステムでは、ターミナルアダプタ７１０は、着信者端末（通信端末７１１）がオンフックの状態のときのみ発信者端末（通信端末７２１）からの着信を受け付ける。従って、着信者端末が例えば発信を行おうとしてオフフックの状態のときに、着信があったとしても、発信者端末からの発呼は着信者端末にて受け付けられない。また、着信者端末が他の発信者端末からの着信を受けているときも同様である。
【００１１】
このような場合、着信者は、ターミナルアダプタ７１０の内部に記憶される着信履歴等を参照して、発信者に対して電話を掛け直す場合がある。このとき、着信者は、電話料金の負担を強いられ、また、電話の掛け直しという不要な手間を強いられることがある。
【００１２】
そこで、本発明は、以上のような課題を解決するものであって、接続される通信端末がオフフックの状態であっても着信受付が可能であり、また、特定の発信者端末からの着信のみを受け付けることが可能なターミナルアダプタを提供することを目的とする。
【００１３】
【課題を解決するための手段】
本発明によるターミナルアダプタは、ＩＳＤＮからメッセージを受信し、ＩＳＤＮに対してメッセージを送信する回線制御回路と、接続される通信端末のフック状態を検出するフック検出部と、フック検出部がオフフック状態を検出した場合であっても発信者端末からの着信の受付制御を行う制御部と、制御部の指示に応じてリンガ出力を行う着信通知部と、制御部の指示に応じて表示器に着信があった旨の表示を行う表示制御回路とを備え、制御部が、フック検出部がオフフック状態を検出しているときに回線制御回路がＩＳＤＮから呼設定メッセージを受信した場合に、回線制御回路に対して呼出メッセージを送信する指示を与えるとともに、表示制御回路に対して着信があった旨の表示を行う指示を与え、表示制御回路に対して着信があった旨の表示を行う指示を与えた後にフック検出部がオンフック状態を検出した場合に、通信中であれば回線制御回路に対して切断メッセージを送信する指示を与えた後、着信通知部に対してリンガ出力を行う指示を与え、着信通知部に対してリンガ出力を行う指示を与えた後に、フック検出部がオフフック状態を検出した場合に、回線制御回路に対して応答メッセージを送信する指示を与えることを特徴とする。
【００１５】
特定発信者情報を登録する特定発信者情報記憶部を備え、制御部は、呼設定メッセージに含まれる発信者端末の電話番号と特定発信者情報に含まれる情報とが一致した場合に、回線制御回路に対して呼出メッセージを送信する指示を与えるとともに、表示制御回路に対して着信があった旨の表示を行う指示を与えるように構成されていてもよい。そのような構成によれば、制御部は、特定発信者からの着信のみの着信を受けることができる。
【００１６】
特定発信者情報には、特定発信者端末の電話番号および特定発信者の氏名が含まれていてもよい。
【００１９】
制御部は、特定発信者情報記憶部に特定発信者情報が登録されていない場合には、回線制御回路がＩＳＤＮから呼設定メッセージを受信した場合に、回線制御回路に対して呼出メッセージを送信する指示を与えるように構成されていてもよい。
【００２２】
【発明の実施の形態】
以下、本発明によるターミナルアダプタの実施の形態について図面を参照して説明する。図１は、本発明によるターミナルアダプタの内部の構成を示す構成ブロック図である。
【００２３】
図１に示すターミナルアダプタでは、回線制御回路１０１は、制御回路１０６からの指示に応じて、通信回線網との間で情報のやり取りを行う。通信回線網は、ＩＳＤＮ回線網である。回線制御回路１０１は、通信回線網との間で種々のメッセージのやり取りを行う。メッセージとして、例えば、呼設定メッセージ、呼出メッセージ、応答メッセージ、応答確認メッセージ、切断メッセージ等がある。これらのメッセージの詳細については、後述する。
【００２４】
ダイヤルメモリ回路１０２は、ＳＲＡＭ、ＤＲＡＭ等の記憶媒体で構成され、特定発信者情報を内部に記憶する。ダイヤルメモリ回路１０２は、指示に応じて、制御回路１０６に対して特定発信者情報を出力する。特定発信者情報は、接続される通信端末におけるダイヤル操作等によって追加、削除等がなされる。
【００２５】
フック検出回路１０５は、図示していない通信端末（以下、着信者端末ともいう。）と接続され、その通信端末のフック状態を検出し、その検出結果を制御回路１０６に対して出力する。通信端末は、例えば、電話端末、パーソナルコンピュータ等の情報端末である。フック検出回路１０５は、周期的に通信端末のフック状態の検出結果を制御回路１０６に対して出力する。制御回路１０６は、その検出結果に基づいて通信端末のフック状態を把握する。例えば、オンフックの状態である検出結果が連続して１００ｍｓｅｃ以上続いたら、制御回路１０６は、通信端末がオンフックの状態であると判断する。
【００２６】
ＬＣＤ制御回路１０４は、制御回路１０６からの指示に応じてＬＣＤ１０３における表示制御を行う。このとき、ＬＣＤ制御回路１０４は、映像信号等を出力することによりＬＣＤ１０３における表示制御を行う。ＬＣＤ１０３は、液晶パネルである。また、ＬＣＤ１０３は、例えば、当該ターミナルアダプタの筐体側面等の人目を多く引きつけ易い場所に設置される。
【００２７】
制御回路１０６は、上記に示す制御のほか、ターミナルアダプタの全体の制御を行う。例えば、着信通知のために、接続される通信端末におけるリンガを起動させる。リンガは、着信を音響的に外部に通知する装置であり、例えば、トーンリンガである。また、制御回路１０６は、例えば、ＣＰＵ（中央演算処理装置）、メモリ等で構成される。先に説明したダイヤルメモリ回路１０２は、制御回路１０６における内蔵メモリに組み込まれてもよい。
【００２８】
次に、動作について説明する。ここでは、接続される通信端末がオフフックの状態で、他の通信端末からの発呼があった場合の動作を例にとって説明する。図２は、ターミナルアダプタの動作を説明するためのフローチャートである。
【００２９】
回線制御回路１０１は、発信者端末に接続されるターミナルアダプタから発せられる呼設定（ＳＥＴＵＰ）メッセージを通信回線網から受信する。そして、その受信結果を制御回路１０６に対して出力する。呼設定メッセージは、呼設定を示すメッセージであり、発信者端末の電話番号、着信者端末の電話番号等を含む。また、呼設定メッセージは、ＩＳＤＮに規定するチャネルのうち、Ｄチャネルにて受信される。以下、回線制御回路１０１と通信回線網との間の種々のメッセージのやり取りは、Ｄチャネルにてなされるものとする。
【００３０】
制御回路１０６は、ダイヤルメモリ回路１０２の内部に特定発信者情報が登録されているか否かを判断する（ステップＳ２０１）。特定発信者情報には、例えば、図３に示すように、着信優先順位、特定発信者端末の電話番号（アドレス）、特定発信者の氏名が含まれる。図３は、特定発信者情報の一例を示す説明図である。
【００３１】
特定発信者情報の登録が無かった場合（ステップＳ２０１）、制御回路１０６は、ステップＳ２０５以降の処理を実行する。ステップＳ２０５以降の処理については、後述する。特定発信者情報の登録があった場合（ステップＳ２０１）、制御回路１０６は、呼設定メッセージの内容を確認する（ステップＳ２０２）。本実施の形態では、次に制御回路１０６はステップＳ２０２の処理を実行するものとする。
【００３２】
次に、制御回路１０６は、呼設定メッセージの内容の確認を行う（ステップＳ２０２）。ここでは、呼設定メッセージに発信者端末の電話番号が含まれているか否かの確認を行う。
【００３３】
発信者端末の電話番号が含まれていない場合（ステップＳ２０３）、制御回路１０６は、回線制御回路１０１に対してチャネル解放と呼番号解放完了要求を示す解放完了（ＲＥＬＥＡＳＥ  ＣＯＭＰＬＥＴＥ）メッセージを送信する旨を指示する(ステップＳ２１０）。回線制御回路１０１は、解放完了メッセージを通信回線網に対して送信する。それによって、発信者端末と当該ターミナルアダプタとの間の接続は解放される。
【００３４】
発信者端末の電話番号が含まれている場合（ステップＳ２０３）、その発信者端末の電話番号が特定発信者情報に含まれる特定発信者端末の電話番号と一致するか否かを判断する（ステップＳ２０４）。本実施の形態では、制御回路１０６は次にステップＳ２０４の処理を実行するものとする。
【００３５】
次に、制御回路１０６は、発信者端末の電話番号が特定発信者の電話番号であるか否かを判断する（ステップＳ２０４）。一致しない場合（ステップＳ２０４）、制御回路１０６は、回線制御回路１０１に対して解放完了メッセージの送信指示を行う（ステップＳ２１０）。解放完了メッセージは、先の例と同様な手順で送信される。そして、発信者端末と当該ターミナルアダプタとの間の接続は、解放される。
【００３６】
一致する場合（ステップＳ２０４）、制御回路１０６は、回線制御回路１０１に対して呼出メッセージの送信指示を行う（ステップＳ２０５）。本実施の形態では、制御回路１０６は次にステップＳ２０５の処理を実行するものとする。
【００３７】
制御回路１０６は、呼出（ＡＬＥＲＴＩＮＧ）メッセージの送信指示を回線制御回路１０１に対して行う（ステップＳ２０５）。そして、回線制御回路１０１は、呼出メッセージを通信回線網に対して送信する。ここで、呼出メッセージは、被呼者（着信者）の呼出を行っていることを示すメッセージである。
【００３８】
次に、制御回路１０６は、ＬＣＤ制御回路１０４に対してＬＣＤ１０３の表示制御を行う旨の表示制御指示を行う（ステップＳ２０６）。この表示制御指示には、着信受付の旨および発信者の電話番号または発信者の氏名が含まれる。ステップＳ２０１での判断が肯定的であった場合、特定発信者情報において発信者端末の電話番号に対応する発信者の氏名が登録されているときには、表示制御指示には、発信者の氏名が含まれ、そうでない場合には、表示制御指示には、発信者端末の電話番号が含まれる。以下、着信受付の旨の通知のことを着信通知ということもある。
【００３９】
また、ステップＳ２０１での判断結果が否定的であった場合、表示制御指示には、着信受付の旨が含まれる。このとき、制御回路１０６は、処理過程の途中で、呼設定メッセージに含まれる発信者端末の電話番号を抽出して、表示制御指示に発信者の電話番号を含ませてもよい。
【００４０】
ＬＣＤ制御回路１０４は、制御回路１０６の指示に従ってＬＣＤ１０３の表示制御を行う。このとき、ＬＣＤ１０３には、例えば、図４または図５に示すような情報が表示される。図４および図５は、ＬＣＤ１０３に表示される情報の一例を示す説明図である。ステップＳ２０１での判断が肯定的であった場合には、図４に示すような情報が表示され、ステップＳ２０１での判断が否定的であった場合には、図５に示すような情報が表示される。
【００４１】
ここで、２つ以上の特定発信者端末からの着信が競合した場合には、制御回路１０６は、特定発信者情報における着信優先順位の高い発信者端末からの着信を優先して受け付ける。また、制御回路１０６は、特定発信者端末からの着信とそうでない発信者からの着信とが競合した場合には、特定発信者端末からの着信を優先して受け付ける。
【００４２】
例えば、０３−１２３４−○△□×で定まる電話番号の発信者端末（佐藤）からの着信受付の途中で、０３−１２３４−○△□□で定まる電話番号の発信者端末（中山）からの呼設定メッセージを受信した場合、図３に示す例では、中山のほうが佐藤より着信優先順位が高いので、制御回路１０６は、中山からの着信を優先的に受け付ける。
【００４３】
次に、着信者がＬＣＤ１０３に表示される発信者（発信者端末）との通話を行うまでの過程について説明する。図６は、ターミナルアダプタの動作を説明するためのフローチャートである。
【００４４】
着信者は、ＬＣＤ１０３に表示される内容を見ることで着信受付があったことを認識できる。そして、ＬＣＤ１０３に表示されている発信者との通話を行うために、着信者端末におけるハンドセットをオンフックの状態にする。すると、フック検出回路１０５は、着信者端末がオンフックの状態になったことを検出して、その検出結果を制御回路１０６に対して出力する（ステップＳ６０１）。
【００４５】
制御回路１０６は、その検出結果に基づき着信者端末がオンフックの状態になったことを認識し、通信回線網との接続を切断するために回線制御回路１０１に対して切断（ＤＩＳＣＯＮＮＥＣＴ）メッセージの送信を指示する（ステップＳ６０２）。回線制御回路１０１は、切断メッセージを通信回線網に対して送信する。それによって、当該ターミナルアダプタと通信回線網との間の接続は切断される。つまり、当該ターミナルアダプタは、一時的に空き状態となる。
【００４６】
次に、制御回路１０６は、着信者端末におけるリンガを起動させることにより、着信者に対して着信通知を行う（ステップＳ６０３）。そして、着信者は、着信者端末をオフフックの状態にする。すると、フック検出回路１０５は、着信者端末がオフフックの状態になったことを検出して、その検出結果を制御回路１０６に対して出力する（ステップＳ６０４）。
【００４７】
制御回路１０６は、その通知により、着信者端末がオフフックの状態になったことを認識し、回線制御回路１０１に対して被呼者（着信者）が応答した（オフフックの状態にした）旨を示す応答（ＣＯＮＮＥＣＴ）メッセージの送信指示を行う（ステップＳ６０５）。そして、回線制御部２０１は、応答メッセージを通信回線網に対して送信する。応答メッセージは、発信者端末に接続されるターミナルアダプタに対して送信される。
【００４８】
回線制御回路１０１は、通信回線網から応答メッセージに対する確認メッセージである応答確認（ＣＯＮＮＥＣＴ  ＡＣＫＮＯＷＬＥＤＧＥ）メッセージを受信し、その受信結果を制御回路１０６に対して出力する。応答確認メッセージは、発信者端末に接続されるターミナルアダプタから送信される。
【００４９】
そして、制御回路１０６は、その受信結果に基づいて、当該ターミナルアダプタと発信者端末に接続されるターミナルアダプタとの間の接続を確立する。従って、発信者端末と着信者端末との間の呼も確立する。
【００５０】
以上のように、本実施の形態によれば、当該ターミナルアダプタは、接続される着信者端末がオフフックの状態であっても発信者端末からの着信を受け付ける。そして、着信者端末がオンフックの状態になりオフフックの状態になったことを確認して、発信者端末と着信者端末との間の呼を確立する。従って、着信者は、着信履歴等を参照して発信者端末に対して電話の掛け直しをする必要がなくなるので、電話料金の節約および電話の掛け直しといったような不要な手間を省くことができる。
【００５１】
また、ターミナルアダプタ１１０は、特定発信者情報を登録するダイヤルメモリ回路１０２を備え、特定の発信者端末からの着信のみを受け付けることができる。従って、着信者は、オフフック中において、特に重要な顧客等からの着信を受けることができる。また、制御回路１０６が着信受付の際に発信者端末の電話番号または発信者の氏名を着信者に対して通知することで、着信者は、誰からの着信であるかを即座に認識することができる。
【００５２】
さらに、特定発信者情報には特定発信者の着信優先順位が含まれていて、同時に２つ以上の発信者端末からの着呼があった場合や、すでに着信受けの状態で他の発信者端末からの着呼があった場合等には、ターミナルアダプタ１１０は、着信優先順位の高い発信者端末との間の接続を優先させることができる。従って、着信者は、より通話を行いたいという発信者と通話を優位に行うことができる。
【００５３】
なお、上記の実施の形態では、ＬＣＤ１０３が着信通知を行う例を明示したが、ＬＣＤ１０３の代わりに複数のＬＥＤを用いてもよい。各ＬＥＤは、それぞれ、発信者端末ごとに割り当てられる。制御回路１０６は、着信があったときに、発信者端末に対応するＬＥＤを発光させる。このような方法によっても、着信者は、着信および着信者が誰であるかを認識することができる。
【００５４】
また、ターミナルアダプタ１１０にスピーカ等の音声装置を備え、制御部２０６が音声装置を介して着信通知を音声によって行ってもよい。このとき、音声装置からは、”中山さんからの着信あり”、”０３−１２３４−□□△△さんからの着信あり”等の音声メッセージが発せられる。
【００５５】
さらに、通信端末１１１がオフフックの状態中に着信を受けた場合には、制御回路１０６は、通信端末１１１におけるハンドセットにて上記のような音声メッセージ（音声ガイダンス）を行ってもよい。このとき、着信者は、ハンドセットから発せられる音声によって着信通知を受けることができる。
【００５６】
また、上記の実施の形態では、特定発信者情報が登録されている場合において、発信者端末の電話番号が特定発信者情報に登録されている電話番号である場合にのみ着信を受け付ける動作を例示したが、発信者端末の電話番号の如何によらず着信を受け付けてもよい。
【００５７】
【発明の効果】
本発明によれば、制御部は、接続される通信端末がオンフックかオフフックの状態の如何によらず、発信者端末からの着信を受けることができる。そして、制御部は、通信端末がオンフックの状態になった後さらにオフフックの状態になったときに、通信端末と発信者端末との間の呼を確立させる。従って、着信者は、着信履歴等を参照して発信者に対して電話を掛け直す必要がなくなり、電話料金の負担軽減および不要な労力の削減を図ることができる。
【００５８】
また、ターミナルアダプタにおいて特定発信者情報を記憶する特定発信者情報記憶部を備えることで、制御部は、特定発信者端末からの着信のみを受けることができる。このとき、制御部は、着信通知部にて着信の旨および発信者の氏名若しくは発信者端末の電話番号を表示させることができる。従って、着信者は、誰からの着信であるのかを認識することができる。また、制御部が特定発信者端末からの着信のみを受けることで、着信者は、オフフック中において特に重要な顧客等からの着信を受けることができる。
【図面の簡単な説明】
【図１】  本発明によるターミナルアダプタの内部の構成を示すブロック図である。
【図２】  ターミナルアダプタの動作を説明するためのフローチャートである。
【図３】  特定発信者情報の一例を示す説明図である。
【図４】  ＬＣＤ１０３に表示される情報の一例を示す説明図である。
【図５】  ＬＣＤ１０３に表示される情報の一例を示す説明図である。
【図６】  ターミナルアダプタの動作を説明するためのフローチャートである。
【図７】  従来のターミナルアダプタを用いた通信システムの一例を示すブロック図である。
【符号の説明】
１０１          回線制御回路
１０２          ダイヤルメモリ回路
１０３          ＬＣＤ
１０４          ＬＣＤ制御回路
１０５          フック検出回路
１０６          制御回路
【図１】
0004395991.tif 000002
【図２】
0004395991.tif 000003
【図３】
0004395991.tif 000004
【図４】
0004395991.tif 000005
【図５】
0004395991.tif 000006
【図６】
0004395991.tif 000007
【図７】
0004395991.tif 000008